(57)【要約】【課題】住居外で火災感知器の作動を視認できる火災表示器に関するものであり、表示灯の点灯を正面以外の場所からでも素早く確認することができること、また、表示灯の破損を防止すること。【解決手段】住居外の取付面に取り付けられる筐体と、該筐体の前面に設けられた前面開口部と、該前面開口部から筐体の背面方向に立設されてテーパ状に形成された収納部と、該収納部内に設けられた発光手段と、前面開口部に露出して取り付けられ、発光手段からの光を前方および側方方向に光拡散して筐体外部に放出する表示窓を備えたことを特徴とする。【選択図】  図５
2004152013.tif 000002
【特許請求の範囲】
【請求項１】
住居外の取付面に取り付けられる筐体と、該筐体の前面に設けられた前面開口部と、該前面開口部から前記筐体の背面方向に立設されてテーパ状に形成された収納部と、該収納部内に設けられた発光手段と、前記前面開口部に露出して取り付けられ、前記発光手段からの光を前方および側方方向に光拡散して前記筐体外部に放出する表示窓を備えたことを特徴とする火災表示器。
【請求項２】
前記発光手段は、該発光手段のリード端子が高さ調整手段内を挿通されて、前記筐体の内部に収容された回路基板に取付固定されることで、前記収納部内に位置するように設けられることを特徴とする請求項１記載の火災表示器。
【発明の詳細な説明】
【０００１】
【発明の属する技術分野】
この発明は、住居外で火災感知器の作動を視認できる火災表示器に関する。
【０００２】
【従来の技術】
一般に、集合住宅等において、どの住居の火災感知器が作動しているかを住居外から容易に発見できるようにするため、住居の玄関口近傍等の外壁に取り付けられる火災表示器が知られている（例えば、特許文献１参照。）。
【０００３】
【特許文献１】
実開昭５５−１３４６８９号公報
【０００４】
【発明が解決しようとする課題】
上記火災表示器は、本体に表示灯が設けられ、扉に透光性の表示カバーが露出して設けられ、表示灯は表示カバー内に位置している。そのため、表示灯は、表示カバーの前面のみならず側面にも発光することができる。しかしながら、表示灯の光は、多少は側方方向（上下左右方向）に漏れるとしても、そのほとんどが前方方向に集中して放出するように設計されているため、表示カバーの側面への発光は非常に少なくなる。そのため、住居内の火災感知器が発報した場合、火災表示器の正面まで来ないと表示灯の点灯が明確に確認しにくく、正面以外のところから表示灯の点灯が確認しにくいという問題があった。特に、集合住宅の各住居玄関にそれぞれ取り付けられた場合など、多数の火災表示器が隣接して設置してある場合については、住居玄関前の狭い共用通路から表示灯の点灯を確認することになるため、通路に面した住居の全ての火災表示器を一度に確認するような場合には火災表示器を正面よりかなりはずれた斜め方向から目視することになり、発報状態の火災表示器を遠くから確認しにくいという問題も生じる。
【０００５】
また、表示カバーは扉から露出して設けられているため、外部からの衝撃が加わりやすく、この衝撃により破損すると、表示灯も破損しやすいという問題があった。
【０００６】
本発明は、上記課題を解決するためになされたもので、住居外で火災感知器の作動を視認できる火災表示器に関するものであり、表示灯の点灯を正面以外の場所からでも素早く確認することができること、また、表示灯の破損を防止することを目的とする。
【０００７】
【課題を解決するための手段】
本発明は、住居外の取付面に取り付けられる筐体と、該筐体の前面に設けられた前面開口部と、該前面開口部から筐体の背面方向に立設されてテーパ状に形成された収納部と、該収納部内に設けられた発光手段と、前面開口部に露出して取り付けられ、発光手段からの光を前方および側方方向に光拡散して筐体外部に放出する表示窓を備えたことを特徴とする。
【０００８】
また、発光手段は、該発光手段のリード端子が高さ調整手段内を挿通されて、筐体の内部に収容された回路基板に取付固定されることで、収納部内に位置するように設けられることを特徴とする。
【０００９】
【実施例】
本発明の第１実施例を図１〜図８に基づいて説明する。図１は火災表示器の概略正面図であり、図２は火災表示器の概略平面図であり、図３は火災表示器の概略右側面図であり、図４は火災表示器の概略背面図であり、図５は図１のＡ−Ａ線概略断面図であり、火災表示器を壁面に取り付けた状態を示し、図６は図１のＢ−Ｂ線概略断面図であり、図７は表示窓の概略背面図であり、また、図８は図７の概略断面図である。
【００１０】
火災表示器１００は、住居外の取付面の一例としての壁面１（図５参照）に取り付けられる筐体１０と、該筐体１０の前面に設けられた前面開口部１４と、該前面開口部１４から筐体１０の背面方向に立設されてテーパ状に形成された収納部１５と、該収納部１５内に設けられた発光手段の一例としてのＬＥＤ２０と、前面開口部１４に露出して取り付けられ、ＬＥＤ２０からの光を前方および側方方向に光拡散して筐体１０外部に放出する表示窓３０を備えている。
【００１１】
筐体１０は、本体１１と、本体１１の外周に設けられた枠体１２と、該枠体１２に開閉自在に取り付けられる扉１３とを備えている。
【００１２】
本体１１は、樹脂等により前面側および背面側を開口した略箱型に形成され、その前面側の開口から外周方向（上下左右方向）に延出された枠体１２を備えている。枠体１２は、樹脂等により略鍔状に形成され、扉１３を開閉自在に取り付けるための扉取付部１２Ａと、該枠体１２自身を壁面１に設けられたアウトレットボックス２に固着するための枠体取付部（図示せず）と、扉１３を閉止するためのネジ受け部（図示せず）が設けられている。
【００１３】
また、本体１１の内部には、回路基板４０が収容されている。この回路基板４０は、本体１１の背面内面に設けられた段部に当接してネジ止め等の固定手段により取付固定されており、この回路基板４０の背面側には、住居内に設けられた火災感知器からの信号線等のケーブルを結線するための端子板（図示せず）が取付固定されており、また、この回路基板４０の前面側には、火災感知器が作動すると点灯するＬＥＤ２０が取付固定されている。
【００１４】
このＬＥＤ２０は、扉１３に設けられた収納部１５内に位置するように、回路基板４０に取付固定されている。この場合、ＬＥＤ２０の回路基板４０からの突出する高さを規定する高さ調整手段の一例であるチューブ２５を使用して、ＬＥＤ２０のリード端子２１がチューブ２５内を挿通されて、半田付け等により回路基板４０に取付固定されることで、ＬＥＤ２０は扉１３に設けられた収納部１５内に位置している。このチューブ２５は、樹脂等によりＬＥＤ２０の外径よりも小さい外径の略円筒状に形成されており、ＬＥＤ２０の背面と回路基板４０の前面とに当接して、その間隔を規定している。
【００１５】
扉１３は、樹脂等により背面側を開口した略箱型に形成され、この扉１３の右上端部および右下端部には、枠体１２の扉取付部１２Ａに係合するヒンジ１３Ａが一体に設けられている。これにより、扉１３は枠体１２の内側に、本体１１の前面側を開閉自在に取り付けられる。また、扉１３左中央部にネジ孔（図示せず）が形成されており、このネジ孔（図示せず）にネジ（図示せず）を挿入し、枠体１２のネジ受け部（図示せず）に螺合することにより、扉１３を閉止することができる。
【００１６】
また、扉１３には、本体１１内のＬＥＤ２０に対向する部分に表示窓３０が取り付けられる略長方形状の前面開口部１４が設けられており、また、前面開口部１４から筐体１０の背面方向に立設された収納部１５が設けられている。この収納部１５は、図５に示すように、前面開口部１４の上側開口縁および下側開口縁から筐体１０の背面方向に略垂直に立設された上側面１５Ｕおよび下側面１５Ｄと、図６に示すように、前面開口部１４の左側開口縁および右側開口縁から筐体１０の背面方向であって前面開口部１４の中心方向に略テーパ状に立設された左側面１５Ｌおよび右側面１５Ｒとにより形成され、前面側および背面側を開口した略斬頭四角錐状であり、この収納部１５内にはＬＥＤ２０が位置している。
【００１７】
この収納部１５は、ＬＥＤ２０の放出光を前面開口部１４側に誘導するものであり、ＬＥＤ２０からの側方方向（上下左右方向）の放出光は、それぞれ収納部１５の上下左右側面に入反射して、前面開口部１４側に導かれる。
【００１８】
ここで、ＬＥＤ２０からの放出光は、そのほとんどが前方方向に集中して放出するように設計されているが、多少は側方方向に放出される。ＬＥＤの様々な種類により多少の違いはあるが、最大で前方に対して１８０゜方向まで放出される。そのため、収納部１５の左右方向をテーパ状とすることで、テーパ状としない場合と比較して、ＬＥＤ２０の左右方向からの放出光が、収納部１５の左側面１５Ｌおよび右側面１５Ｒとにより入反射する回数を少なくして、減衰の少ない光量で前面開口部１４側に導かれ、前面開口部１４側に直接放出される前方方向からの放出光のみならず、多量の放出光を前面開口部１４側に導くことができる。
【００１９】
なお、収納部１５の上側面１５Ｕおよび下側面１５Ｄも、前面開口部１４の上側開口縁および下側開口縁から筐体１０の背面方向であって前面開口部１４の中心方向に略テーパ状に立設してもよく、収納部１５の上下方向もテーパ状とすることで、ＬＥＤ２０の側方方向（上下左右方向）からの放出光を、収納部１５の上下左右側面で入反射させて、減衰の少ない光量で前面開口部１４側に導くことができ、より多量の放出光を前面開口部１４側に導くことができる。
【００２０】
表示窓３０は、図７および図８に示すように前面３０Ｆと左側面３０Ｌと右側面３０Ｒと上側面３０Ｕと下側面３０Ｄとを備え、透光性を有する樹脂により背面側を開口した略斬頭四角錐状に形成される。また上側面３０Ｕおよび下側面３０Ｄから延出形成された断面略フック状の係止部３０Ａを備え、この係止部３０Ａが収納部１５の上側面１５Ｕおよび下側面１５Ｄの背面側に係止して、前面開口部１４に露出して取り付けられ、図３に示すように表示窓３０は、筐体１０を側面方向から見て十分に見える程度に筐体１０の前面から突出する。この表示窓３０の内面全面には、光を拡散するための光拡散手段３１が設けてあり、光拡散手段３１としてこの場合は、上側面３０Ｕと下側面３０Ｄと左側面３０Ｌおよび右側面３０Ｒのそれぞれの内面には断面略山形状の縦溝３１Ａが形成され、前面３０Ｆの内面には略山形状の凹凸部３１Ｂが形成されている。収納部１５により前面開口部１４（表示窓３０）に誘導されたＬＥＤ２０の放出光は、光拡散手段３１により前方、側方方向（上下左右方向）、斜め方向等の四方八方に拡散して表示窓３０を透過し、筐体１０外部に放出される。これにより発報表示がなされ、ＬＥＤ２０から放出する点灯光が発報表示として住居外の人に光により住居内の非常状態を知らせる。
【００２１】
なお、光拡散手段３１として、表示窓３０の内面全面に設けられた複数段状やフルネルレンズ状の光拡散手段や、表示窓３０に配合された例えばシリカ等の拡散性微粒子であってもよい。また、光拡散手段３１を前方、横（左右）方向のみに設けて、光が前方、横（左右）方向にのみ拡散するように構成してもよい。
【００２２】
次に、火災表示器１００の組立方法を説明する。まず、端子板（図示せず）を回路基板４０の背面側に半田付け等により接続固定し、また、チューブ２５内にＬＥＤ２０のリード端子２１を挿通し、チューブ２５をＬＥＤ２０の背面と回路基板４０の前面とに当接させ、ＬＥＤ２０を回路基板４０の前面側に半田付け等により接続固定する。次に、回路基板４０をネジ等の固定手段（図示せず）により本体１１の背面内面の段部に当接させ固定する。そして、表示窓３０の係止部３０Ａを扉１３の前面開口部１４内に挿通して収納部１５の上側面１５Ｕおよび下側面１５Ｄの背面側に係止させて、表示窓３０を扉１３に取り付ける。さらに、扉１３のヒンジ１３Ａを枠体１２の扉取付部１２Ａに圧入して、扉１３を枠体１２に開閉自在に取り付ける。
【００２３】
このようにして組み立てられた火災表示器１００を、本体１１の背面側にある端子板（図示せず）に、住居内からアウトレットボックス２内に導出された信号線等のケーブルを接続して、そして図５に示すように、枠体１２の枠体取付部（図示せず）にネジを挿通し、アウトレットボックス２にネジ止めして壁面１に取り付け、ついで、扉１３のネジ孔（図示せず）にネジ（図示せず）を挿入して、枠体１２のネジ受け部（図示せず）でネジ止めして、閉扉する。
【００２４】
上記構成の火災表示器１００は、住居内の火災感知器からの火災信号を受けると、ＬＥＤ２０が点灯する。ＬＥＤ２０の光は、前方へ放出された光が直接表示窓３０に到達して、また、側方へ放出された光が収納部１５により表示窓３０に誘導されて、光拡散手段３１により前方、側方方向（上下左右方向）、斜め方向等の四方八方に拡散して表示窓３０を透過し、筐体１０外部に放出される。これにより発報表示がなされ、ＬＥＤ２０から放出する点灯光が発報表示として住居外の人に光により住居内の非常状態を知らせる。
【００２５】
かかる火災表示器１００にあっては、ＬＥＤ２０を収納部１５内に位置させるのに、ＬＥＤ２０のリード端子２１をチューブ２５内に挿通して、ＬＥＤ２０を回路基板４０に取付固定して、回路基板４０を本体１１の背面内面にネジ止めにて取付固定したので、簡易な構成でＬＥＤ２０を収納部１５内に位置させることができ、表示窓３０に近い位置にＬＥＤ２０を配設することで、発報表示の光を明るく点灯することができる。また、筐体１１から露出した表示窓３０が外部衝撃等により破損したとしても、ＬＥＤ２０は表示窓３０内に位置していないのでその衝撃の影響を受けにくく、仮に受けたとしても、ＬＥＤ２０と回路基板４０は直接当接して接続固定されておらずリード端子２１を介して接続固定されているため、ＬＥＤ２０の弾性を有するリード端子２１がその衝撃を吸収する役目を果たすので、破損しにくい。
【００２６】
また、表示窓３０の内面全面に光拡散手段３１を設けることにより、発報表示となるＬＥＤ２０の光を、前方だけでなく側方方向（上下左右方向）、斜め方向にも拡散放出するようにしたので、横（左右）方向や上下方向や斜め方向からも光が明確に確認でき、集合住宅の共用通路のような場所からでも発報している火災表示器１００を遠くから素早く確認することができると共に、火災表示器１００を人の目線よりやや高い位置や低い位置に設置したとしてもどの方向からでも明確に警報表示の光を確認できる。また、収納部１５によりＬＥＤ２０の光を表示窓３０に集中させることができ、特に収納部１５をテーパ状とすることで、ＬＥＤ２０の側方方向からの放出光を減衰の少ない光量で表示窓３０に誘導することができ、ＬＥＤ２０のような小光源の発光手段の光でも十分明るい状態で拡散放出して点灯光が見た目に目立つようにすることができる。
【００２７】
なお、収納部のテーパ状の面にメッキ塗装等を施すなどして、光の反射効率を上げるようにしてもよい。
【００２８】
【発明の効果】
発光手段はテーパ状に形成された収納部内に設けられるので、発光手段の前方方向の光のみならず、発光手段の側方方向の光も減衰の少ない光量で表示窓に誘導され、表示窓に到達する全体の光量が増加する。また、表示窓の光拡散手段により、表示窓に放出された光を前方および側方（上下左右）方向に光拡散する。そのため、発光手段の点灯を正面以外の場所からでも素早く確認することができる。
【００２９】
また、発光手段は、該発光手段のリード端子が高さ調整手段内を挿通されて、筐体内に収容された回路基板に取付固定されることで、収納部内に位置する。そのため、簡易な構成で発光素子を収納部内に位置決めすることができる。また、発光手段に外部からの衝撃が加わりにくく発光手段の破損を防止するとともに、発光手段に外部からの衝撃が加わったとしても、リード端子の弾性によりその衝撃を吸収して、発光手段の破損を防止することができる。
【図面の簡単な説明】
【図１】本発明の第１実施例を示す、火災表示器の概略正面図である。
【図２】火災表示器の概略平面図である。
【図３】火災表示器の概略右側面図である。
【図４】火災表示器の概略背面図である。
【図５】図１のＡ−Ａ線概略断面図であり、火災表示器を壁面に取り付けた状態を示す図である。
【図６】図１のＢ−Ｂ線概略断面図である。
【図７】表示窓の概略背面図である。
【図８】図７の概略断面図である。
【符号の説明】
１０    筐体
１４    前面開口部
１５    収納部
２０    ＬＥＤ（発光手段）
３０    表示窓
１００  火災表示器
【図１】
2004152013.tif 000003
【図２】
2004152013.tif 000004
【図３】
2004152013.tif 000005
【図４】
2004152013.tif 000006
【図５】
2004152013.tif 000007
【図６】
2004152013.tif 000008
【図７】
2004152013.tif 000009
【図８】
2004152013.tif 000010